(57)【要約】【課題】画像表示パネルの画素配列との干渉によるモアレ発生を防ぐと共に、メッシュパターンの粗密による明暗ムラも同時に防ぎ、なお且つ、導電性を維持しつつメッシュの外光反射によるコントラスト低下を防いだ電磁波遮蔽材と、これを用いた複合化積層体、画像表示装置を提供する。【解決手段】導電体パターン層１の表面に暗色層２を有し、導電体パターン層が呈する、多数の開口部Ａを画成するメッシュパターン１Ｐが、二つの分岐点Ｂの間を延びて開口部を画成する多数の境界線分Ｌから形成され、一つの分岐点から延びる境界線分の数の平均値Ｎが、３．０≦Ｎ＜４．０であり、且つ、開口部が一定の繰返周期で並べられている方向が存在しない領域を含んでなるパターンからなる。開口部は少なくとも五角形及び六角形を含んでなるのが好ましい。【選択図】図１
2013062364.tif 000002
【特許請求の範囲】
【請求項１】
導電体パターン層と、その少なくとも表裏面の何れか１面に形成された暗色層とを有する電磁波遮蔽材であって、
前記導電体パターン層の平面視形状が多数の開口部を画成するメッシュパターンからなり、このメッシュパターンは、二つの分岐点の間を延びて前記開口領域を画成する多数の境界線分から形成され、一つの分岐点から延びる境界線分の数の平均値Ｎが、３．０≦Ｎ＜４．０であり、且つ、前記開口領域が一定の繰返周期で並べられている方向が存在しない領域を含んでなるパターンであり、
前記暗色層は、表面に溝状凹部を有し、この溝状凹部が形成された表面に突出した針状金属を有する、
電磁波遮蔽材。
【請求項２】
開口部の平面視形状として、少なくとも五角形及び六角形を含んでなる、請求項１に記載の電磁波遮蔽材。
【請求項３】
暗色層が形成された導電体パターン層に、さらに透明基材が積層されている請求項１または２に記載の複合化積層体。
【請求項４】
さらに機能層が積層されている、請求項１〜３のいずれかに記載の電磁波遮蔽材。
【請求項５】
画像表示パネルと、この画像表示パネルの前面に配置された請求項１〜３のいずれかに記載の電磁波遮蔽材または請求項４に記載の複合化積層体と、を備えた画像表示装置。
【発明の詳細な説明】
【技術分野】
【０００１】
本発明はディスプレイの画像観察者側である前面に配置するのに好適な電磁波遮蔽材と、これをさらに複合化した複合化積層体と、これらを用いた画像表示装置に関する。
特に、画像表示パネルの画素配列との干渉によるモアレが生じず、外光によるコントラスト低下も防げる電磁波遮蔽材及び複合化積層体、並びにこれらを用いた画像表示装置に関する。
【背景技術】
【０００２】
液晶表示パネル、プラズマディスプレイパネル、ＥＬ（電界発光）パネルなど、各種画像表示パネルが普及しているが、画像表示パネルの前面には光学フィルタが配置される。例えば、プラズマディスプレイパネルでは、前面に配置する光学フィルタとして電磁波遮蔽材が使われている。電磁波遮蔽材は、通常、正方格子などの単位格子が平面内に繰返し配列した、空間周期を有する金属メッシュからなる（特許文献１）。
ただ、こうした周期パターンを有する金属メッシュからなる電磁波遮蔽材は、画像表示パネルの画素配列も周期的配列をしている為に、画素の配列周期と干渉して、モアレ（縞模様）が生じる。
【０００３】
このモアレを防ぐ為に、通常、電磁波遮蔽材は、金属メッシュの配列方向をディスプレイパネの画素の配列方向から３〜４５°程度傾ける、いわゆるバイアス角を設けることが行われている（特許文献２）。
また、画像表示パネルの前面に配置する光学フィルタには、外光の混入によって画像が白化しコントラストが低下するのを防止する機能も要求されている。
【０００４】
特許文献２では、コントラスト向上フィルタを積層した電磁波遮蔽材を提案している。コントラスト向上フィルタは、通常、暗色の光吸収部と光透過部とが面内にストライプ状に交互に配列した周期的パターンからなるコントラスト向上層を有する。コントラスト向上層の周期的パターンも、画像表示パネルの画素の配列周期と干渉して、モアレが生じる。そこで、このモアレを防ぐ為に、コントラスト向上層も同様に、その配列方向を、画像表示パネルの画素の配列方向に対して、バイアス角を設けることが知られている。
さらに、コントラスト向上層は電磁波遮蔽材の金属メッシュとも干渉して、光学フィルタ内でモアレが生じるので、コントラスト向上層と金属メッシュとの間でも、バイアス角を設けることが知られている（特許文献２）。
【０００５】
このように、周期的パターンを有する要素同士を複合化することによって、モアレ防止は、適用する画像表示パネルのサイズ毎に、金属メッシュ、コントラスト向上層及び画像表示パネルの三者の周期的パターンのそれぞれの周期、周期同士の比率、寸法、などを考慮することになり、製品設計が複雑化する。
【０００６】
そこで、周期的パターンをランダム化したものも提案されている。例えば、正方格子状の金属メッシュについて、正方格子の配列方向の２方向、これをＸ軸方向とＹ軸方向とすると、このうち１方向、例えばＸ軸方向についてのみ、その配列周期をランダム化した電磁波遮蔽材である（特許文献３）。
或いは、図１７（Ａ）の正方格子パターンを元に、図１７（Ｂ）の様に、縦線と横線の格子点に於ける４つの内角を、全て９０°以外の角度に設定したパターンにしてランダム化した、電磁波遮蔽材である（特許文献４）。
ただ、特許文献３や特許文献４によるランダム化では、なお、配列に周期性が残り、モアレは残留する。
【０００７】
一方、有機溶剤処理と酸処理とを組み合わせた化学処理によって形成した金属メッシュからなる電磁波遮蔽材も提案されている（特許文献５）。この金属メッシュは完全にランダムパターン化しており、この電磁波遮蔽材によれば、モアレは解消する。
【先行技術文献】
【特許文献】
【０００８】
【特許文献１】特許第３３８８６８２号公報
【特許文献２】特表２００９−５３５６７３号公報
【特許文献３】特開平１１−１２１９７４号公報
【特許文献４】特開平４−２１７３９７号公報
【特許文献５】国際公開第２００７／１１４０７６号のパンフレット
【発明の概要】
【発明が解決しようとする課題】
【０００９】
しかし、特許文献５による電磁波遮蔽材は、メッシュパターン自体に粗密が存在し、濃淡ムラが目視され、画像表示パネルの前面に配置とする表示画像に明暗ムラが生じる。
また、コントラスト向上層の有無に関わらず、いずれの電磁波遮蔽材を採用するにせよ、外光が金属メッシュ表面で反射して画面が白化しコントラストが低下するので、黒化層を表面に形成して外光反射を防止するのが普通である。ただ、既存の黒化層、例えば、黒化ニッケルめっき、銅−コバルト合金めっき、酸化銅黒化層などでは、導電性と外光反射防止性との両立が困難であった。
加えて、特許文献５の完全ランダムなメッシュパターンは、その製法にも起因して、開口部内に途中まで入り込んで行き止まりとなる部分が一部に発生する。こうした行き止まりの部分は断線して回路が開いた形となり、正方格子等の閉回路のみからなるメッシュパターンに比べて同じ開口率での導電性（電磁波遮蔽性）は低下する。
【００１０】
すなわち、本発明の課題は、電磁波遮蔽材ついて、画像表示パネルの画素と干渉に起因するアレ発生を防ぐと共に、導電体メッシュの粗密による明暗ムラも同時に防ぎ、なお且つ、十分な導電性を確保しつつメッシュ表面での外光反射による画面白化・コントラスト低下を防ぐことである。
また、このような電磁波遮蔽材或いは複合化積層体を備えた画像表示装置を提供することである。
【課題を解決するための手段】
【００１１】
そこで、本発明では、次の様な構成の電磁波遮蔽材、複合化積層体及び画像表示装置とした。
（１）導電体パターン層と、その少なくとも表裏面の何れか１面に形成された暗色層とを有する電磁波遮蔽材であって、
前記導電体パターン層の平面視形状が多数の開口部を画成するメッシュパターンからなり、このメッシュパターンは、二つの分岐点の間を延びて前記開口部を画成する多数の境界線分から形成され、一つの分岐点から延びる境界線分の数の平均値Ｎが、３．０≦Ｎ＜４．０であり、且つ、前記開口部が一定の繰返周期で並べられている方向が存在しない領域を含んでなるパターンであり、
前記暗色層は、表面に溝状凹部を有し、この溝状凹部が形成された表面に突出した針状金属を有する、
電磁波遮蔽材。
（２）開口部の平面視形状として、少なくとも五角形及び六角形を含んでなる、上記（１）の電磁波遮蔽材。
（３）暗色層が形成された導電体パターン層に、さらに透明基材が積層されている上記（１）または（２）の複合化積層体。
（４）さらに機能層が積層されている、上記（１）〜（３）のいずれかの電磁波遮蔽材。
（５）画像表示パネルと、この画像表示パネルの前面に配置された上記（１）〜（３）のいずれかの電磁波遮蔽材または上記（４）の複合化積層体とを備えた画像表示装置。
【発明の効果】
【００１２】
（１）本発明の電磁波遮蔽材によれば、導電体パターン層のメッシュパターンが周期性がない特定のパターンであるために、モアレを極めて効果的に目立たなくさせることが出来ると共に、メッシュパターンの粗密による明暗ムラも極めて効果的に目立たなく出来、モアレ解消と明暗ムラ解消とを両立させることができる。また、モアレ防止のためにバイアス角を付ける必要がないために、製品設計が容易になる。さらに、導電体パターン層表面に設けた特定の表面構造をした暗色層によって、導電性を維持しつつ、外光反射が極めて効果的に抑制され、画像のコントラスト低下を防ぐことができ、導電性とコントラスト低下防止性とが両立する。
（２）本発明の複合化積層体によれば、上記効果に加えて、電磁波遮蔽機能以外の他の機能が複合化されたものとできる。
（３）本発明の画像表示装置によれば、上記電磁波遮蔽材乃至は複合化積層体による効果を享受でき、十分な導電性を維持しつつ、モアレ、明暗ムラ、コントラスト低下の全てを防ぐことができる。
【図面の簡単な説明】
【００１３】
【図１】本発明による電磁波遮蔽材の一実施形態を説明する断面図（Ａ）及び（Ｃ）と平面図（Ｂ）。
【図２】暗色層の表面の溝状凹部と針状金属の表面構造を示す走査型電子顕微鏡写真。
【図３】メッシュパターンの一例を示す平面図。
【図４】メッシュパターンに繰返周期が存在しないことを説明する平面図。
【図５】メッシュパターンを設計する方法において、母点を決定する方法を示す図。
【図６】メッシュパターンを設計する方法において、母点を決定する方法を示す図。
【図７】メッシュパターンを設計する方法において、母点を決定する方法を示す図。
【図８】決定された母点群の分散の程度を絶対座標系と相対座標系で説明する図。
【図９】決定された母点からボロノイ図を作成してメッシュパターンを決定する方法を示す図。
【図１０Ａ】本発明によるメッシュパターンを示す平面図。
【図１０Ｂ】画像表示パネルの画素配列を示す平面図。
【図１０Ｃ】図１０Ａと図１０Ｂとを重ねた状態を示す平面図。
【図１１Ａ】従来の導電体パターン層が有する周期的パターンを示す平面図。
【図１１Ｂ】画像表示パネルの画素配列を示す平面図。
【図１１Ｃ】図１１Ａと図１１Ｂとを重ねた状態を示す平面図。
【図１２】開口部の形状例を示す平面図。
【図１３】メッシュパターンが電磁波遮蔽材の寸法の１／３以上の大きさの単位パターン領域として繰り返された一例を示す平面図。
【図１４】本発明による電磁波遮蔽材の別の実施形態（透明基材付き）を示す断面図。
【図１５】本発明による複合化積層体の実施形態を示す断面図。
【図１６】本発明による画像表示装置の実施形態を示す断面図。
【図１７】従来の電磁波遮蔽材におけるランダムパターンの一例を示す平面図であり（Ａ）はランダム化前、（Ｂ）はランダム化後。
【発明を実施するための形態】
【００１４】
以下、本発明の実施形態について図面を参照しながら説明する。なお、図面は概念図であり、説明上の都合に応じて適宜、構成要素の縮尺関係、縦横比等は誇張されていることがある。
【００１５】
〔Ａ〕用語の定義：
以下に、本発明において用いる主要な用語について、その定義をここで説明しておく。
【００１６】
「シート面」とは、シート状の電磁波遮蔽材を全体的かつ大局的に見た場合において、その平面方向と一致する面のことを意味する。通常は、電磁波遮蔽材の表面、裏面、又は表裏両面と平行な面となる。図１に於いては、ＸＹ平面又はこれと平行な面となる。
「表面」、「裏面」、「側面」とは、シート面に平行な２面の一方の面が「表面」であり他方の面が「裏面」である。一方の面を「表面」とするか「裏面」とするかの区別はない。「側面」とはシート面に平行ではない面、典型的にはシート面に垂直な面であり、層の断面として露出する面が該当する。
「平面視形状」とは、「シート面」に平行な面に於ける形状のことを意味する。言い換えると、「平面視形状」とは、「シート面」に立てた法線の方向から見た形状のことを意味する。
「シート」、「フィルム」、「板」の用語は、呼称の違いのみに基づいて、互いから区別されるものではない。したがって、例えば、「シート」はフィルムや板とも呼ばれ得るような部材も含む概念である。
【００１７】
〔Ｂ〕電磁波遮蔽材：
本発明による電磁波遮蔽材を、図１に示す一実施形態例を参照して説明する。
【００１８】
図１で例示する本発明の電磁波遮蔽材１０は、図１（Ａ）の断面図で示すように、導電体パターン層１と、この導電体パターン層１の、表裏面と両側側面の全部の表面に形成された暗色層２とからなる。この暗色層２は、表面に溝状凹部３を有し、この溝状凹部３が形成された表面に針状金属４を有する。この溝状凹部３と針状金属４を有する暗色層２の表面構造によって、外光が効果的に吸収され、導電体パターン層１による外光反射を極めて効果的に防ぐことができる。
特に、分岐、蛇行、又はこれらの両方を有する渓谷状の溝状凹部３によって、光が溝状凹部３の内部に進入すると複雑な経路で反射を多数回繰り返すことで減衰する。この為、溝状凹部３によって、外光反射を防止する。
さらに、針状金属４によっても、外光が、針間の面で多重反射されるうちに、吸収、散乱が多数回起こり、多くの光を減衰させ、反射光量、特に鏡面反射光量を大幅に減少させて、外光の反射を防止する。
【００１９】
図１（Ｂ）の平面図で示すように、導電体パターン層１は、これを上からみた、つまりシート状の電磁波遮蔽材１０をＺ軸方向からみた平面視形状が、多数の開口部Ａを画成する特有のメッシュパターン１Ｐを呈している。このメッシュパターン１Ｐは、二つの分岐点Ｂの間を延びて前記開口部Ａを画成する多数の境界線分Ｌから形成され、一つの分岐点Ｂから延びる境界線分Ｌの数の平均値Ｎが、３．０≦Ｎ＜４．０であり、且つ、前記開口部Ａが一定の繰返周期で並べられている方向が存在しない領域を含んでなるパターンである。
図１（Ｃ）は図１（Ｂ）中のＣ−Ｃ線での断面図である。図１（Ｃ）の断面図で示す様に、Ｃ−Ｃ線（図４に於ける任意位置に任意角度で伸ばした仮想的な線分ｄｉに相当する）を横切る開口部Ａの幅ｔ１，ｔ２，ｔ３，・・・・は、一定でない。メッシュパターン１Ｐで画成される開口部Ａは、従来の正方格子など格子状の周期的メッシュパターンに於ける単位格子に相当する。この点で、メッシュパターン１Ｐは、単位格子つまり開口部Ａが、間に境界線分Ｌを介して複数互いに隣接して配列して構成されている。
なお、図１（Ｃ）では、導電体パターン層１のみを描いてあり、暗色層２などその他の図示は省略してある。
【００２０】
このため、本実施形態では、上記メッシュパターン１Ｐは、従来のような周期的配列ではなく、そのメッシュパターン１Ｐが非周期的パターンであるために、画像表示パネルの前面フィルタとして用いた時に、画素配列との干渉によるモアレを生じず、明暗ムラも生じず、モアレと明暗ムラとを極めて効果的に防ぐことができる。
【００２１】
図２は、暗色層２の表面の溝状凹部３と針状金属４とを具体的に示す、走査型電子顕微鏡写真である。図中、溝状凹部３を有する表面に、多数の針状金属４が存在するのが視認される。
【００２２】
〔導電体パターン層〕
導電体パターン層１は、導電性材料からなり平面視形状が本発明特有の非周期的なメッシュパターン１Ｐを呈する。
導電性材料としては、銅、アルミニウム、錫、ニッケル等の金属を用いることができる。導電体パターン層１は、こうした金属からなる金属箔、金属厚膜等からフォトエッチング法などにより所定のメッシュパターン１Ｐを形成することで得ることができる。
導電体パターン層１の厚みは、電磁波遮蔽性能（導電性）、形成法等の点から、通常は２〜１００μｍ、より好ましくは５〜２０μｍ程度である。
メッシュパターン１Ｐの線幅は、電磁波遮蔽性能などの観点から通常は５〜５０μｍである。また、開口部Ａの面積割合は透明性と電磁波遮蔽性能の両立性の点で、５０〜９５％程度である。
【００２３】
［メッシュパターンとこれにより画成される開口部］
メッシュパターン１Ｐは、導電体パターン層１を、シート面の法線方向（図１でＺ軸方向）から観察した場合における平面視形状である。以下、このメッシュパターン１Ｐについて、図３および図９を主として参照しながら説明する。
【００２４】
メッシュパターン１Ｐは、図３に示す如く、二つの分岐点Ｂの間を延びて開口部Ａを画成する多数の境界線分Ｌから形成され、一つの分岐点Ｂから延びる境界線分Ｌの数の平均値Ｎが、３．０≦Ｎ＜４．０、つまり、３．０以上で４．０未満であり、且つ、前記境界線分Ｌで画成された前記開口部Ａに繰返周期を持つ方向が存在しない領域を含んでなるパターンとなっている。
なお、メッシュパターン１Ｐは、開口部Ａが繰返周期を持つ方向が存在しない配列となってモアレ防止効果が十分に発現される為には、周囲を囲繞する境界線分Ｌの数が同一の開口部Ａの面積及び形状は一定でないようなパターンとすると良い。好ましくは、周囲を囲繞する境界線分Ｌの数が同一の開口部Ａの５０％以上が互いにその面積及び形状が異なるようにする。より好ましくは、周囲を囲繞する境界線分Ｌの数が同一の開口部Ａをメッシュパターン１Ｐの全域に亙って、全て互いにその面積及び形状が異なるようにする。これは、言い換えると、メッシュパターン１Ｐに含まれる開口部Ａのうち、周囲を囲繞する境界線分Ｌの数が同一となる開口部Ａの形状及び面積がすべて同一ではなく、少なくとも一部は他と異なるものになると言うことを意味する。なお、ここで周囲を囲繞する境界線分Ｌの数とは、開口部Ａが多角形である場合は、その多角形の角数と一致する。また、以上に於いて、２つの開口部Ａ同士が互いに合同な図形であって且つその向きが異なる場合も、これらの２つの開口部Ａの形状は互いに異なると見做す。
【００２５】
図３および図９に示すように、メッシュパターン１Ｐのライン部Ｌｔは、多数の分岐点Ｂを含んでいる。メッシュパターン１Ｐのライン部Ｌｔは、両端において分岐点Ｂを形成する多数の境界線分Ｌから構成されている。すなわち、メッシュパターン１Ｐのライン部Ｌｔは、二つの分岐点Ｂの間を延びる多数の境界線分Ｌから構成されている。そして、分岐点Ｂにおいて、境界線分Ｌが接続されていくことにより、開口部Ａが画成されている。言葉を換えて言うと、境界線分Ｌで囲繞され、区画されて１つの閉領域としての開口部Ａが画成されている。
【００２６】
なお、図３および図９に示すように、ライン部Ｌｔが境界線分Ｌのみから構成されているため、特許文献５に開示のメッシュパターンの如く開口部Ａの内部に延び入って行き止まりとなるライン部Ｌｔは存在しない。このような態様によれば、電磁波遮蔽材１０に十分な導電性と高い透明性とを同時に付与することを効果的に実現することできる。
【００２７】
一方、モアレの発生を防止するため、本実施形態による電磁波遮蔽材１０の導電体パターン層１が有するメッシュパターン１Ｐでは、その全領域が、開口部Ａが繰返周期を有する方向が存在しないようになっている。モアレを確実に解消する為には、メッシュパターン１Ｐの全領域がこのような領域のみから構成されていることが好ましい。本実施形態はこの様な構成からなる。本件発明者らは、鋭意研究を重ねた結果として、単にメッシュパターン１Ｐのパターンを不規則化するのではなく、メッシュパターン１Ｐの開口部Ａが一定の規則性を持った繰返周期で並べられた方向が存在しないようにメッシュパターン１Ｐのパターンを画成することにより、開口部Ａが周期的配列された構成の従来の正方格子状などの電磁波遮蔽材と、周期的画素配列を有する画像表示パネルとを重ねた際に生じ得るモアレを、極めて効果的に目立たなくさせることが出来ると判明した。
【００２８】
［繰返周期の不存在］
図４は、メッシュパターン１Ｐで画成される多数の開口部Ａが、一定の周期で配置されている領域が存在せず、繰返周期が存在しないことを説明するＸＹ平面に平行なシート面に於ける平面図である。このシート面の面内において、同図では、任意の位置で任意の方向を向く一本の仮想的な直線ｄｉが選ばれている。
この一本の直線ｄｉが、ライン部Ｌｔの境界線分Ｌと交差し交差点が形成される。この交差点を、図面では図面左下から順に、交差点ｃ１，ｃ２，ｃ３，・・・・・，ｃ９として図示してある。隣接する交差点、例えば、交差点ｃ１と交差点ｃ２との距離が、前記或る一つの開口部Ａの直線ｄｉ上での寸法ｔ１である。次に、寸法ｔ１の開口部Ａに対して直線ｄｉ上で隣接する別の開口部Ａについても、同様に、直線ｄｉ上での寸法ｔ２が定まる。そして、任意位置で任意方向の直線ｄｉについて、直線ｄｉと交差する境界線分Ｌとから、任意位置で任意方向の直線ｄｉと遭遇する多数の開口部Ａについて、該直線ｄｉ上における寸法として、ｔ１，ｔ２，ｔ３，・・・・・・，ｔ８が定まる。そして、ｔ１，ｔ２，ｔ３，・・・・・・，ｔ８の数値の並びには、周期性が存在しない。
図４では、このｔ１，ｔ２，ｔ３，・・・・・・，ｔ８は、判り易い様に図面下方に、直線ｄｉと共にメッシュパターン１Ｐとは分離して描いてある。
【００２９】
この直線ｄｉを図４で図示のものから任意の位置で任意の角度回転させて別の方向について各開口部Ａの寸法ｔ１，ｔ２，・・を求めると、やはり図４の場合と同様、直線ｄｉ方向に対して繰返し周期性は見られない。
すなわち、このｔ１，ｔ２，ｔ３，・・・・・・，ｔ８の数値の並びの様に、境界線分Ｌで画成された開口部Ａには繰返周期を持つ方向が存在しない。
言い換えると、開口部Ａの配置において、任意位置を通る任意方向の仮想的線分ｄｉ上での開口部Ａの寸法ｔｉの並びの数列が非周期関数となる。すなわち、ｔ（ｉ）＝ｔ（ｉ＋Ｍ）となるＭが存在しない（ｉ，Ｍはそれぞれ独立な正の整数）。
このように、開口部Ａが繰返周期を持つ方向が存在しないことを、開口部Ａが一定の繰返周期で並べられている方向が存在しない、と表現する。
【００３０】
さらに、本実施形態によるメッシュパターン１Ｐでは、一つの分岐点Ｂから延び出す境界線分Ｌの数の平均値Ｎが３．０≦Ｎ＜４．０となっている。このように一つの分岐点Ｂから延び出す境界線分Ｌの数の平均値Ｎが３．０≦Ｎ＜４．０となっている場合、メッシュパターン１Ｐの配列パターンを、正方格子パターン（Ｎ＝４．０）から大きく異なるパターンとすることができる。また、一つの分岐点Ｂから延び出す境界線分Ｌの数の平均値Ｎが３．０＜Ｎ＜４．０となっている場合には、ハニカム配列（Ｎ＝３．０）からも大きく異なるパターンとすることができる。そして、一つの分岐点Ｂから延び出す境界線分Ｌの数の平均値Ｎを３．０≦Ｎ＜４．０とした上で、開口部Ａの配列を不規則化して、開口部Ａが繰返周期を持って並べられた方向が安定して存在しないようにすることが可能となり、その結果、モアレを極めて効果的に目立たなくさせることが可能となることが、確認された。
【００３１】
なお、一つの分岐点Ｂから延び出す境界線分Ｌの数の平均値Ｎは、厳密には、メッシュパターン１Ｐ内に含まれる全ての分岐点Ｂについて、延び出す境界線分Ｌの数を調べてその平均値を算出することになる。ただし、実際的には、ライン部Ｌｔによって画成された一つ当たりの開口部Ａの大きさ等を考慮した上で、一つの分岐点Ｂから延び出す境界線分Ｌの数の全体的な傾向を反映し得ると期待される面積を持つ一区画（例えば、後述の寸法例で開口部Ａが形成されているメッシュパターン１Ｐにおいては、１０ｍｍ×１０ｍｍの部分）に含まれる分岐点Ｂについて延び出す境界線分Ｌの数を調べてその平均値を算出し、算出された値を当該メッシュパターン１Ｐについての一つの分岐点Ｂから延び出す境界線分Ｌの数の平均値Ｎとして取り扱うようにしてもよい。
【００３２】
実際に、図３に示された電磁波遮蔽材１０の導電体パターン層１のメッシュパターン１Ｐでは、一つの分岐点Ｂから延び出す境界線分Ｌの数の平均値Ｎが３．０＜Ｎ＜４．０となっている。一例を挙げると、図３のメッシュパターン１Ｐの場合、合計３８７個の分岐点Ｂについて計測したところ、境界線分Ｌが３本の分岐点Ｂが３７３個、境界線分Ｌが４本の分岐点Ｂが１４個であり（分岐する境界線分Ｌの数が５個以上の分岐点は０個）、分岐点Ｂから出る境界線分Ｌの平均本数（平均分岐数）は３．０４個であった。
【００３３】
［画像表示パネルの画素配列との干渉によるモアレ発生状況］
図１０Ｃには、図３及び図１０Ａに示されたメッシュパターン１Ｐを有する電磁波遮蔽材１０を、図１０Ｂに示された画像表示パネル４０に於ける典型的な画素配列上に重ねた状態が示されている。図１０Ｃからも理解され得るように、図３及び図１０Ａ示されたメッシュパターン１Ｐを実際に作製して画像表示パネル４０の画素配列上に配置した場合、視認され得る程度の縞状の模様、すなわちモアレ（干渉縞）は発生しなかった。
【００３４】
ここで、図１０Ｂで示された画像表示パネル４０の画素配列は、画像表示パネル４０に於ける典型的な画素配列である。図１０Ｂに示す様に、この画像表示パネル４０では、一つの画素Ｐは、赤色に発光する副画素（サブピクセル）ＲＰと、緑色に発光する副画素ＧＰと、青色に発光する副画素ＢＰと、から構成されている。すなわち、画像表示パネル４０はカラーで画像を形成することができる。図１０Ｂに示された例は、いわゆるストライプ配列として、画素Ｐが形成されている。すなわち、赤色に発光する副画素ＲＰ、緑色に発光する副画素ＧＰおよび青色に発光する副画素ＢＰは、それぞれ、一つの方向（図１０Ｂでは縦方向）に連続して並べられている。一方、赤色に発光する副画素ＲＰ、緑色に発光する副画素ＧＰおよび青色に発光する副画素ＢＰは、当該一つの方向に直交する方向（図１０Ｂでは横方向）に、一つずつ、順に並べられている。なお、図１０Ｂは、画像表示パネル４０の画像形成面（出光面、即ち画面）への法線方向、言い換えると、画像表示パネル４０のパネル面への法線方向から当該画像表示パネル４０を観察した状態で、画素Ｐの配列を示している。
【００３５】
一方、従来の電磁波遮蔽材５０において、周期的メッシュパターン５１Ｐで画成される開口部Ａに一定の繰返周期が存在する場合のモアレ発生を例示するのが図１１Ａ〜図１１Ｃである。
【００３６】
図１１Ａに図示したものは、正方格子状の周期的メッシュパターン５１Ｐであり、本発明のメッシュパターン１Ｐとは異なるものである。
図１１Ｃには、図１１Ａに示された周期的メッシュパターン５１Ｐを、図１１Ｂに示された画像表示パネル４０（図１０Ｂで示したものと同じである）に於ける典型的な画素配列上に重ねた状態が示されている。図１１Ａ、図１１Ｂ及び図１１Ｃからも理解され得るように、周期的メッシュパターン５１Ｐを有する電磁波遮蔽材５０が画像表示パネル４０の画素配列上に配置されると、周期的メッシュパターン５１Ｐと画素の規則的パターンとの干渉によって、明暗の筋（図１１Ｃに示された例では、左上から右下に延びている明暗の筋）が視認されるようになる。
【００３７】
なお、図１１Ａおよび図１１Ｃに示された例では、周期的メッシュパターン５１Ｐの正方格子を構成する多数の直線の配列方向が、画素Ｐの配列方向に対して、数度傾斜している。この傾斜角をバイアス角（度）と呼称する。このような傾斜は、一般的に、モアレを目立たなくさせるものとして広く用いられている手法である。但し、図１１Ｃに縞状模様が視認されることからも理解され得るように、モアレ発生の程度は単にバイアス角のみで決まる訳では無く、この他、画素Ｐ及び周期的メッシュパターン５１Ｐの繰返周期比、周期的メッシュパターン５１Ｐの線幅等の要因にも依存する。周期的メッシュパターン５１Ｐのバイアス角のみでモアレを解消しようとすると、画像表示パネル４０の設計仕様毎に応じてバイアス角の異なる電磁波遮蔽材５０を用意する必要が有る。
【００３８】
［メッシュパターンのパターン形状の作成方法］
ここで、本発明固有の上記メッシュパターン１Ｐのパターンを作成する方法の一例を以下に説明する。
【００３９】
ここで説明する方法は、母点を決定する工程と、決定された母点からボロノイ図を作成する工程と、ボロノイ図における一つのボロノイ境界によって結ばれる二つのボロノイ点の間を延びる境界線分Ｌの経路を決定する工程と、決定された経路の太さを決定して各境界線分Ｌを画定してメッシュパターン１Ｐ（ライン部Ｌｔ）のパターンを決定する工程と、を有している。以下、各工程について順に説明していく。なお、上述した図３に示されたパターンは、実際に以下に説明する方法で決定されたパターンである。
【００４０】
まず、母点を決定する工程について説明する。最初に、図５に示すように、絶対座標系Ｏ−Ｘ−Ｙ（この座標系Ｏ−Ｘ−Ｙは普通の２次元平面であるが、後述の相対座標と区別する為、頭に「絶対」を付記する）の任意の位置に一つ目の母点（以下、「第１の母点」と呼ぶ）ＢＰ１を配置する。次に、図６に示すように、第１の母点ＢＰ１から距離ｒだけ離れた任意の位置に第２の母点ＢＰ２を配置する。言い換えると、第１の母点ＢＰ１を中心として絶対座標系ＸＹ上に位置する半径ｒの円の円周（以下、「第１の円周」と呼ぶ）上の任意の位置に、第２の母点ＢＰ２を配置する。次に、図７に示すように、第１の母点ＢＰ１から距離ｒだけ離れ且つ第２の母点ＢＰ２から距離ｒ以上離れた任意の位置に、第３の母点ＢＰ３を配置する。その後、第１の母点ＢＰ１から距離ｒだけ離れ且つその他の母点ＢＰ２，ＢＰ３から距離ｒ以上離れた任意の位置に、第４の母点を配置する。
【００４１】
このようにして、次の母点を配置することができなくなるまで、第１の母点ＢＰ１から距離ｒだけ離れ且つその他の母点から距離ｒ以上離れた任意の位置に母点を配置していく。その後、第２の母点ＢＰ２を基準にしてこの作業を続けていく。すなわち、第２の母点ＢＰ２から距離ｒだけ離れ且つその他の母点から距離ｒ以上離れた任意の位置に、次の母点を配置する。第２の母点ＢＰ２を基準にして、次の母点を配置することができなくなるまで、第２の母点ＢＰ２から距離ｒだけ離れ且つその他の母点から距離ｒ以上離れた任意の位置に母点を配置していく。その後、基準となる母点を順に変更して、同様の手順で母点を形成していく。
【００４２】
以上の手順で、メッシュパターン１Ｐが形成されるべき領域内に母点を配置することができなくなるまで、母点を配置していく。メッシュパターン１Ｐが形成されるべき領域内に母点を配置することができなくなった際に、母点を作製する工程が終了する。ここまでの処理により、２次元平面（ＸＹ平面）に於いて不規則的に配置された母点群が、メッシュパターン１Ｐが形成されるべき領域内に一様に分散した状態となる。
【００４３】
このような工程で２次元平面（ＸＹ平面）内に分布された母点群ＢＰ１、ＢＰ２、・・、ＢＰ６（図８（Ａ）参照）について、個々の母点間の距離は一定では無く分布を有する。但し、任意の隣接する２母点間の距離Ｒの分布は完全なランダム分布（一様分布）でも無く、平均値ＲAVGを挾んで上限値ＲMAXと下限値ＲMINとの間の範囲ΔＲ＝ＲMAX−ＲMINの中で分布している。なお、ここで、隣接する２母点であるが、母点群ＢＰ１、ＢＰ２、・・からボロノイ図を作成した後、２つのボロノイ領域ＸＡが隣接していた場合に、その２つのボロノイ領域ＸＡの母点同士が隣接していると定義する。
【００４４】
即ち、ここで説明した母点群について、各母点を原点とする座標系（相対座標系ｏ−ｘ−ｙと呼称し、一方、現実の２次元平面を規定する座標系を絶対座標系Ｏ−Ｘ−Ｙと呼称する）上に、原点に置いた母点と隣接する全母点をプロットした図８（Ｂ）、図８（Ｃ）、・・等のグラフを全母点について求める。そして、これら全部の相対座標系上の隣接母点群のグラフを、各相対座標系の原点ｏを重ね合わせて表示すると、図８（Ｄ）の如きグラフが得られる。この相対座標形上での隣接母点群の分布パターンは、母点群を構成する任意の隣接する２母点間の距離が０から無限大迄の一様分布では無く、原点ｏからの距離がＲAVG−ΔＲからＲAVG＋ΔＲ迄の有限の範囲（半径ＲMINからＲMAX迄のドーナツ形領域）内に分布していることを意味する。
なお、図８（Ｄ）からわかる様に、任意の１母点から見た他の母点の方位（角度）分布は等方的（乃至は略等方的）である。このことが、これらの母点（群）から生成されるメシュパターン１Ｐに於ける開口部Ａの方位（角度）分布が等方的（乃至は略等方的）となることに対応する。
【００４５】
以上の様にして、各母点間の距離を設定することによって、該母点群から以下に説明する方法で得られるボロノイ領域ＸＡ、更には、これから得られる開口部Ａの大きさ（乃至は開口部Ａの面積）の分布についても、一様分布（完全ランダム）では無く、有限の範囲内に分布したものとなる。
この様に構成することにより、メッシュパターン１Ｐを目視した際の濃淡（明暗）ムラが、より一層、効果的に解消する。メッシュパターン１Ｐの目視時の濃淡ムラを、実質上、目視不能とし、且つメッシュパターン１Ｐの非周期性によるモアレ防止性とも両立させる為には、開口部Ａの大きさＤ（開口部Ａの大きさ）の最大値をＤMAX、最小値をＤMINとしたときに、当該大きさＤの分布範囲ΔＤ＝ＤMAX−ＤMINが大きさＤの平均値ＤAVGに対して、
０．１≦ΔＤ／ＤAVG≦０．６
より好ましくは、
０．２≦ΔＤ／ＤAVG≦０．４
とする。
また、開口部Ａの大きさの平均値ＤAVGは、透明性と電磁波遮蔽性との両立性の点から、１００〜１０００μｍ程度とする。通常は、１５０〜３００μｍ程度である。
なお、ここで、開口部Ａの大きさＤは、全ての開口部Ａについて、以下の定義とする。
（１）或る一つの開口部Ａに属する全ての分岐点Ｂ（多角形の場合は全頂点）を通る円が描ける場合は、この開口部Ａの外接円直径を以って、大きさＤとする。
（２）或る一つの開口部Ａに属する全ての分岐点Ｂ（多角形の場合は全頂点）を通る円が描け無い場合は、この開口部Ａに属する２分岐点Ｂ間の距離の最大値を以って、大きさＤとする。
【００４６】
なお、以上の母点を決定する工程において、距離ｒの大きさを変化させることにより、一つあたりの開口部Ａの大きさＤを調節することができる。具体的には、距離ｒの大きさを小さくすることにより、一つあたりの開口部Ａの大きさＤを小さくすることができ、逆に距離ｒの大きさを大きくすることにより、一つあたりの開口部Ａの大きさＤを大きくすることができる。
【００４７】
次に、図９に示すように、配置された母点を基準にして、ボロノイ図を作成する。図９に示すように、ボロノイ図とは、隣接する２つの母点ＢＰ、ＢＰ間に垂直二等分線を引き、その各二等分線同士の交点で結ばれた線分で構成される図である。ここで、二等分線の線分をボロノイ境界ＸＢと呼び、ボロノイ境界ＸＢの端部をなすボロノイ境界ＸＢ同士の交点をボロノイ点ＸＰと呼び、ボロノイ境界ＸＢに囲まれた領域をボロノイ領域ＸＡと呼ぶ。
【００４８】
図９のように作成されたボロノイ図において、各ボロノイ点ＸＰが、メッシュパターン１Ｐの分岐点Ｂをなすようにする。そして、一つのボロノイ境界ＸＢの端部をなす二つのボロノイ点ＸＰの間に、一つの境界線分Ｌを設ける。この際、境界線分Ｌは、図３に示された例のように二つのボロノイ点ＸＰの間を直線状に延びるように決定してもよいし、あるいは、他の境界線分Ｌと接触しない範囲で二つのボロノイ点ＸＰの間を種々の経路（例えば、円（弧）、楕円（弧）、抛物線、双曲線、正弦曲線、双曲線正弦曲線、楕円函数曲線、ベッセル関数曲線等の曲線状、折れ線状等の経路）で延びるようにしてもよい。なお、境界線分Ｌは、図３に示された例のように二つのボロノイ点ＸＰの間を直線状に延びるように決定した場合、各ボロノイ境界ＸＢが、境界線分Ｌを画成するようになる。
【００４９】
各境界線分Ｌの経路を決定した後、各境界線分Ｌの線幅（太さ）を決定する。境界線分Ｌの線幅は、作成されたメッシュパターン１Ｐを呈する導電体パターン層１によって得られる導電性と透明性とを勘案して、決定される。以上のようにして、メッシュパターン１Ｐのパターンを決定することができる。
【００５０】
以上のような本実施形態によれば、電磁波遮蔽材１０の導電体パターン層１における光吸収部２を有するメッシュパターン１Ｐが、二つの分岐点Ｂの間を延びて多数の開口部Ａを画成する多数の境界線分Ｌから形成されており、一つの分岐点Ｂから延びる境界線分Ｌの数の平均値Ｎが３．０≦Ｎ＜４．０となっており、且つ、開口部Ａが繰返周期を持つ方向が存在しないようになっている。この結果、規則的（周期的）に画素Ｐが配列された画像表示パネル４０に、この電磁波遮蔽材１０を重ねたとしても、縞状の模様（モアレ、干
渉縞）が視認され得る程度に発生することを効果的に防止することができる。
【００５１】
〔暗色層〕
暗色層２は、その表面に溝状凹部３を有し、この溝状凹部３が形成された表面に突出した針状金属４を有する。暗色層２は、導電体パターン層１の表面に対する黒化処理によって形成され、外光を減衰させる。暗色層２は、暗色であれば良く、黒以外に低明度の色、例えば茶褐色など有彩色でもよい。
なお、図１に示す電磁波遮蔽材１０では、暗色層２は、導電体パターン層１のメッシュパターン１Ｐに於ける境界線分Ｌに該当する部分の表面、裏面、及び両側側面の４面全てに設けられている。このため、全周囲からの光を吸収し減じることができる。ただ、暗色層２を設ける導電体パターン層１の面は、導電体パターン層１の少なくとも表裏面の何れか１面であっても良い。１面のみの場合、その面を電磁波遮蔽材１０を画像表示パネルに適用時に観察者側となる面とすることで外光反射が防止される。
【００５２】
（溝状凹部）
暗色層２の溝状凹部３は、暗色層２の下地膜として、金属の電解めっきによって形成することができる。なお、この下地膜は、暗色層２の表面の一部（溝状凹部３）を造形する為のものであり、本発明では、暗色層２の一部として取り扱う。
【００５３】
電解めっきする金属としては、導電性が高く容易に電解めっき可能な金属（乃至その合金）であれば特に制限はなく、例えば、銅、銀、金、クロム、ニッケル、錫、などを用いることができる。なかでも、銅は材料費及び導電性に優れ好ましいる。めっき皮膜の厚さは、例えば、０．１〜１０μｍである。
電解めっきは公知の方法でよく、電解めっき条件は、例えば、浴温度２０〜６０℃、電流密度０．００１〜１０Ａ／ｄｍ2、めっき時間１〜１０ｍｉｎ程度である。
電流密度を例えば２Ａ／ｄｍ2などと大きくすることによって、めっき皮膜の表面に、溝状凹部３が、分岐、蛇行、又はこれらの両方を有する渓谷状の形状として生成し易くなる。具体例を示せば、硫酸銅五水和物７５ｇ／Ｌ、硫酸１８０ｇ／Ｌ、塩酸６０ｍｇ／Ｌ、炭化水素系高分子系めっき添加剤（配向調整剤）４０ｍＬ／Ｌを含む液で、浴温２５℃、電流密度２Ａ／ｄｍ2、めっき時間５ｍｉｎの処理条件とする。
こうした溝状凹部３、特に、分岐、蛇行、又はこれらの両方を有する渓谷状の溝状凹部３によって、光が溝状凹部３の内部に進入すると複雑な経路で反射を多数回繰り返すことで減衰する。この結果、溝状凹部３によって外光反射を防止できる。
【００５４】
（針状金属）
暗色層２の針状金属４は、溝状凹部３を形成する為に設けた下地膜の表面を黒化処理することによって生成される。
黒化処理は、例えば、硫酸銅五水和物と硫酸を含む水溶液からなる電解浴を用いた陰極電解処理によって、粗面化処理を行うことで、前記下地膜の表面に、銅からなる針状金属４を有する暗色層２を形成することができる。粗面化処理は、陰極電解で針状金属４を析出させた後、その上に金属めっきして針状金属４の脱落を防いだ後、金属皮膜を形成するのが好ましい。
針状金属４は、電流密度を大きくすることによって生成され易くなる。針状金属４の長さは、０．１〜１μｍ程度である。針状金属４の形成の具体例を示せば、第１段階は、硫酸銅五水和物７０ｇ／Ｌ、硫酸１００ｇ／Ｌ、浴温４０℃、電流密度４０Ａ／ｄｍ2、電解時間５ｓ、陽極：白金で処理し、第２段階は硫酸銅五水和物２５０ｇ／Ｌ、硫酸１００ｇ／Ｌ、浴温４５℃、電流密度２０Ａ／ｄｍ2、電解時間３０ｓ、陽極：白金の条件で処理する。
表面に多数の針状金属４を有することよって、暗色層２に入射した外光が針状金属４の面間で多重反射することで、吸収、散乱が多数回発生して、光を減衰させて、外光反射が防止される。
こうして、表面に溝状凹部３と針状金属４とを有する暗色層２を形成することで、溝状凹部３による効果と、針状金属４による効果との相乗効果によって、外光反射防止性能がより高められる。
【００５５】
〔変形形態〕
本発明の電磁波遮蔽材１０は、上記した実施形態以外のその他の各種形態をとり得る。以下、その一部を説明する。
【００５６】
［開口部の形状］
開口部Ａの形状は、少なくとも五角形と六角形とを含むことが好ましい。開口部Ａに少なくとも五角形と六角形とを含むことによって、モアレを目立たなくさせることが出来ると共に、メッシュパターン１Ｐの粗密による明暗ムラもより確実に目立たなくさせることができる。更に好ましくは、開口部Ａの形状が五角形、六角形、及び七角形を含む様にする。
例えば、図１０Ａの形態で使用したメッシュパターン１Ｐについて、合計４６３１個の開口部Ａ（多角形）について計測したところ、
３角形              ０個
４角形            ７９個
５角形        １１４１個
６角形        ２３８２個
７角形          ９２７個
８角形            ９４個
９角形              ８個
１０角形以上        ０個
であった。
なお、このメッシュパターン１Ｐについて、分岐点Ｂから出る境界線分Ｌの平均本数を計測したところ３．０７であった。
【００５７】
［単位パターン領域としての繰返し］
上述した実施形態では、電磁波遮蔽材１０中の導電体パターン層１の全領域において、メッシュパターン１Ｐによって画成される開口部Ａが繰返周期を持つ方向が存在しないようになっている例を説明した。しかしながら、図１４の様に、その内部に於いてメッシュパターン１Ｐの全領域が、単位パターン領域Ｓを複数集合してメッシュパターン１Ｐの全領域が構成されるようにして、且つ各単位パターン領域Ｓ内に於いては、複数の開口部Ａが、所定の繰返周期のないパターンで配列されている領域からなるようにしてもよい。
すなわち、この形態に於いては、メッシュパターン１Ｐの全領域中に、局所的に見たときに、同一パターンで開口部群が配列されてなる単位パターン領域Ｓを２箇所以上含むようになる。この場合、特定方向について、一定周期で４箇所以上の繰返しが無ければ、単位パターン領域Ｓ同士の繋ぎ目は実質上目立ち難く、無視し得る。もちろん、単位パターン領域Ｓ中でモアレも濃淡ムラも生じていない。この例において、一つの単位パターン領域Ｓ内におけるメッシュパターン１Ｐのパターンは、例えば、図５〜図９を参照しながら説明したパターン作成方法と同様にして作成することができる。
【００５８】
特に最近では、画像表示パネルの大型化が進んでおり、この様な大画面の画像表示パネルに対しては、メッシュパターン１Ｐが、複数の単位パターン領域Ｓの配列から構成されていて、且つ各々の単位パターン領域Ｓ内に於いては互いに同一のパターンで開口部Ａが配列されている構成とした複数の単位パターン領域Ｓを含む形態とした方が、メッシュパターン１Ｐのパターン作成を格段に容易化することが可能となる点において好ましい。
【００５９】
なお、特に一種類の単位パターン領域Ｓを図１３に示す様に縦横に複数配置する例においては、特定方向（図面縦方向と横方向の２方向）で単位パターン領域Ｓとしての繰返しが存在する。図１３の実施形態に於いては、横方向に繰返周期ＳＰ２、縦方向に繰返周期ＳＰ１を以って単位パターン領域Ｓが繰り返される。この条件下では、特定方向に於ける単位パターン領域Ｓの寸法をＬｓとし、該特定方向に延びる任意の直線ｄｊ上において単位パターン領域Ｓが寸法Ｌｓ内に開口部ＡをＭ個有するとき、直線ｄｊ上の或る開口部Ａに注目すると、直線ｄｊ上では開口部Ａの個数がＭ個分だけ離れた位置には、全く同じ寸法ｔｊ及び形状の開口部Ａが常に存在するという規則性を有する。すなわち、開口部Ａの直線ｄｊ上での寸法ｔｊについて、直線ｄｊ上で順番に数えてｋ番目の寸法ｔｊ（ｋ）と、そこから更にＭ番目の（ｋ＋Ｍ）番目の寸法ｔｊ（ｋ＋Ｍ）とが同じとなる、ｔｊ（ｋ）＝ｔｊ（ｋ＋Ｍ）の関係が成立する（ｋ，Ｍはそれぞれ独立な正の整数）。
【００６０】
しかし、この規則性は、単位パターン領域Ｓとしての繰返周期（前記で言えば寸法Ｌｓがその繰返周期に該当する）に基づくものであり、開口部Ａとしての繰返周期ではなく、各単位パターン領域Ｓ内に於いて開口部Ａが繰返周期を上記特定方向に持つことではない。また、単位パターン領域Ｓとしての繰返周期は、画像表示パネルの画素配列の配列周期に対して寸法が例えば１０００倍以上異なる為に、モアレが発生する様な近い寸法関係にない。
【００６１】
図１３に示された例では、電磁波遮蔽材１０が、同一の形状を有した六つの単位パターン領域Ｓに分割され、各単位パターン領域Ｓ内で、各導電体パターン層１が有するメッシュパターン１Ｐが同一に構成されている。そして、六つの単位パターン領域Ｓは、図１３の縦方向（図の上下方向）に繰返周期ＳＰ１で三つの領域が並ぶとともに、図１３の横方向に繰返周期ＳＰ２で二つの領域が並ぶように配列されている。
【００６２】
［透明基材の積層］
本発明の電磁波遮蔽材は、図１４の断面図で示す実施形態の電磁波遮蔽材１０の様に、透明基材５が積層された構成としても良い。透明基材５の積層により、機械的強度を増すことができ、また、導電体パターン層１として透明基材５上に印刷法により形成した導電性組成物層を容易に利用することが可能となる。印刷法は、例えば、スクリーン印刷、凹版印刷、フレキソ印刷などである。
積層面は、導電体パターン層１の表裏面のうちいずれか１面又は２面とすることができる。
【００６３】
（透明基材）
透明基材１としては、透明な樹脂シート、ガラスやセラミックス等の無機板を用いることができる。上記樹脂シートの樹脂は、例えば、ポリエチレンテレフタレート等のポリエステル系樹脂、ポリメチルメタクリレート等のアクリル系樹脂、シクロオレフィン重合体などのポリオレフィン系樹脂、トリアセチルセルロース等のセルロース系樹脂、ポリカーボネート系樹脂、等である。なかでも、２軸延伸ポリエチレンテレフタレートシートは好適な材料である。樹脂シートの厚みは、取扱性、コスト等の点で通常は１２〜５００μｍ、好ましくは２５〜２００μｍだが、特に制限はない。樹脂シートはウェブ状、枚葉シート状いずれの形態でも良い。
【００６４】
（導電性組成物層）
前記導電性組成物層としては、導電性粒子と樹脂バインダを含有する導電性組成物からなるインキを印刷して形成することができる。導電性粒子は、銀、銅、アルミニウム、錫、ニッケルなど高導電性金属（これら金属単体或いは合金）粒子、或いは樹脂粒子や非金属無機物粒子の表面を金、銀など高導電性金属で被覆した金属被覆粒子、或いは黒鉛粒子などである。また、樹脂バインダは、樹脂としては、熱可塑性樹脂、熱硬化性樹脂、電離放射線硬化性樹脂などを単独使用又は併用する。熱可塑性樹脂には熱可塑性ポリエステル樹脂、熱可塑性アクリル樹脂など、硬化性樹脂には、熱硬化性ポリエステル樹脂、熱硬化性アクリル樹脂、熱硬化性ウレタン樹脂などを使用する。また、電離放射線硬化性樹脂には、電離放射線で架橋など重合硬化するモノマー及びプレポリマーの１種以上を含む組成物を使用する。モノマーやプレポリマーにはラジカル重合性やカチオン重合性の化合物を用いることができる。なかでも、アクリレート系化合物を用いた電離放射性硬化性樹脂が代表的である。電離放射性硬化性樹脂を硬化させる電離放射線としては、通常、紫外線や電子線が用いられる。
【００６５】
前記導電性組成物層としては、国際公開第２００８／１４９９６９号のパンフレットで開示された「引抜プライマ方式凹版印刷法」を利用したものは、より高精細にできる点で好ましい。なお、この凹版印刷法は、凹版版面の凹部内に充填したインキ（導電ペースト）を引き抜いて、被印刷物への転移を促進させる、電離放射線硬化性樹脂等からなるプライマ層を、印刷の最中に流動状態で作用させて版面上で固化させてから、離版し印刷する方法である。このプライマ層は、他の印刷法に見られない断面形状を有し、導電性組成物層の形成部での厚さがその非形成部での厚さよりも厚い形状となる。
このプライマ層は透明な樹脂層で、その樹脂は熱可塑性樹脂、硬化性樹脂等で、硬化性樹脂は熱硬化性樹脂、電離放射線硬化性樹脂等が可能だが、固化が迅速な点で紫外線照射等で硬化する電離放射線硬化性樹脂が好ましくは用いられる。
【００６６】
〔Ｃ〕複合化積層体：
本発明の複合化積層体３０は、図１５に例示する実施形態例の様に、上述した本発明の電磁波遮蔽材１０と、これに積層された少なくも１層の機能層２０とからなる。機能層２０の積層により、電磁波遮蔽材１０による電磁波遮蔽機能と、機能層の機能とが複合化した光学部材とすることができる。機能層２０の積層面は、図１５（Ａ）に示す電磁波遮蔽材１０の観察者Ｖ側の面、或いは、図１５（Ｂ）に示す様に観察者Ｖ側とは反対側の面、或いは、図示はしないが、これらの両面、のいずれでも良い。
機能層２０としては、光学フィルタに於ける従来公知の各種機能層を適宜採用することができる。機能層２０は、光学機能層と非光学機能層とがある。光学機能層の例としては、近赤外線吸收層、ネオン光吸收層、調色層、紫外線吸収層、反射防止層（防眩、反射防止、防眩及び反射防止兼用のいずれか）特開２００７−２７２１６１号公報等に記載のいわゆるマイクロルーバ層等が挙げられ、非光学機能層の例としては、ハードコート層、耐衝撃層（衝撃吸收層）、防汚層、帯電防止層、抗菌層、防黴層等が挙げられる。こられの機能層の内容は、従来公知のものとすることができる。
複合化積層体３０は、これらの機能層により、電磁波遮蔽機能に加えて、１または複数の機能が複合化されたものとすることができる。機能層により複数の機能を設ける場合、それぞれの機能毎に１層を設けても良いし、複数の機能を１層で兼用して設けてもよい。
【００６７】
〔Ｄ〕画像表示装置：
本発明による画像表示装置は、図１６に例示する実施形態例の様に、画像表示パネル４０と、この画像表示パネル４０の観察者Ｖ側である前面４０ａの側に配置された上記の様な電磁波遮蔽材１０又は複合化積層体３０を、少なくとも備える画像表示装置１００である。本画像表示装置１００は、上記画像表示パネル４０以外に、筐体（キャビネット）、入出力部品等の他、画像表示装置の用途に応じて、例えば、テレビジョン受像機の場合はチューナ等の、公知の各種部品を備える。これらのその他の構成要素は、特に制限はなく、用途に応じたものとなる。
画像表示パネル４０は、プラズマディスプレイパネル、液晶パネル、ＥＬ（電界発光）パネル等の平面画像を表示可能な表示パネルである。また、表示面が平面のブラウン管等でも良い。画像表示パネル４０としては、ディスプレイ駆動回路等の各種回路、該駆動回路と画像表示パネル本体間の配線、これらを一体化するシャーシ、フレーム等を含んでいても良い。従って、画像表示パネル４０は、「ディスプレイモジュール」乃至は「パネルモジュール」等と呼ぶこともできる。
【００６８】
図面では電磁波遮蔽材１０又は複合化積層体３０と、画像表示パネル４０とは、互いに分離独立して間に空気層を介して配置した構成となっているが、間に透明樹脂の接着剤層を介して積層一体化しても良く、一体化により総厚みを減らすことができる。
【００６９】
以上のように、電磁波遮蔽材１０又は複合化積層体３０を用いた画像表示装置１００とすることによって、導電体パターン層１の周期的配列に起因するモアレ発生を解消すると共に、その配置の粗密による明暗ムラも解消して、これらを両立させ、なおかつ外光によるコントラスト低下を防いだ画像表示装置とすることができる。
【００７０】
〔Ｅ〕用途：
本発明による電磁波遮蔽材１０或いは複合化積層体３０は、各種画像表示パネルの観察者側の前面に配置する用途が好適である。画像表示パネルとしては、例えば、プラズマディスプレイパネル、液晶表示パネル、電界発光パネル、電子ペーパーなどの他、ブラウン管などでもよい。
また、本発明による電磁波遮蔽材１０或いは複合化積層体３０は、住宅、店舗、学校、事務所、病院乃至医院等の建物の窓、透明な扉、透明な壁面乃至間仕切に貼着し、一方から他方又は他方から一方への、或いはこれら両法において、望まれない電磁波を遮蔽する用途にも使用出来る。
また、電磁波遮蔽材１０或いは複合化積層体３０を備える本発明による画像表示装置１００は、テレビジョン受像機、測定機器や計器類、事務用機器、医療機器、電算機器、電話機、電子看板、遊戯機器、デジタルフォトフレーム等の画像表示装置として好適である。
【符号の説明】
【００７１】
１    導電体パターン層
１Ｐ  メッシュパターン
２    暗色層
３    溝状凹部
４    針状金属
５    透明基材
１０    電磁波遮蔽材
２０    機能層
３０    複合化積層体
４０    画像表示パネル
５０    従来の電磁波遮蔽材
１００    画像表示装置
Ａ    開口部
Ｂ    分岐点
ＢＰ  母点
Ｌ    境界線分
Ｌｔ  ライン部（境界線分の集合）
Ｓ    単位パターン領域
Ｖ    観察者
【図１】
2013062364.tif 000003
【図２】
2013062364.tif 000004
【図３】
2013062364.tif 000005
【図４】
2013062364.tif 000006
【図５】
2013062364.tif 000007
【図６】
2013062364.tif 000008
【図７】
2013062364.tif 000009
【図８】
2013062364.tif 000010
【図９】
2013062364.tif 000011
【図１０Ａ】
2013062364.tif 000012
【図１０Ｂ】
2013062364.tif 000013
【図１０Ｃ】
2013062364.tif 000014
【図１１Ａ】
2013062364.tif 000015
【図１１Ｂ】
2013062364.tif 000016
【図１１Ｃ】
2013062364.tif 000017
【図１２】
2013062364.tif 000018
【図１３】
2013062364.tif 000019
【図１４】
2013062364.tif 000020
【図１５】
2013062364.tif 000021
【図１６】
2013062364.tif 000022
【図１７】
2013062364.tif 000023